(57)【要約】  本発明は、眼科用多重焦点レンズおよびその製造方法に関する。眼科用多重焦点レンズ１０の屈折力と非点収差のばらつきは、（ｉ）レンズの前面２の球面と円柱のばらつき（ｉｉ）レンズのもう１つの物理的ユニットのばらつきである。このため、着用者の少なくとも１つの行動特性で機能化された多重焦点レンズのデザインでカスタマイズすることが可能となる。レンズの異なる点の間の物理的ユニットの値を調節することによってカスタマイズを繰り返すことが可能となる。結果として、異なったデザインの多重焦点レンズは、半製品レンズから得ることができる。レンズの後面３の球面と円柱によって物理ユニットが構成される。【選択図】図１
2008527404.tif 000002
【特許請求の範囲】
【請求項１】
前面２と、後面３と、中間媒体１と、からなり、着用者によって使用される眼科用多重焦点レンズであって、屈折力と非点収差のばらつきが、
前記眼科用多重焦点レンズの前記前面の球面と円柱のばらつきから生じる第１の寄与と、
前記前面の球面と円柱とは異なる前記眼科用多重焦点レンズの物理的パラメータの少なくとも１つのばらつきによる第２の寄与と、からなり、
前記眼科用多重焦点レンズ上の異なる点での物理的パラメータの値は、前記第２の寄与が、着用者の行動特性の少なくとも１つに応じて前記眼科用多重焦点レンズの屈折力と非点収差のばらつきがカスタマイズされるように製造されるように適合され、
前記眼科用多重焦点レンズの異なる点のもう１つの物理的パラメータの値から生じる処方された屈折力と非点収差を有し、前記前面２の球面と円柱とは異なる前記他の物理的パラメータと、前記眼科用多重焦点レンズの屈折力と非点収差のばらつきの前記第２の寄与を製造する物理的パラメータを有することを特徴とする眼科用多重焦点レンズ。
【請求項２】
前記着用者の行動特性とは、前記着用者が、視野を水平方向に走査する場合、前記着用者の頭の回転に対する眼の動きの水平方向の振幅からなる請求項１に記載の眼科用多重焦点レンズ。
【請求項３】
近見視力点（ＶＰ）と遠方視力点（ＶＬ）との間に存在する屈折力のばらつきに対して、前記第２の寄与は絶対値で前記第１の寄与以下である請求項１または２に記載の眼科用多重焦点レンズ。
【請求項４】
前記近見視力点（ＶＰ）と前記遠方視力点（ＶＬ）との間に存在する屈折力のばらつきに対して、前記第２の寄与は実質的に０である請求項４に記載の眼科用多重焦点レンズ。
【請求項５】
前記物理的パラメータは、前記後面３の球面と円柱からなり、前記多重焦点レンズ内に含まれる実質的に透明な層の屈折率または前記中間媒体１の屈折率である請求項１から４のいずれかに記載の眼科用多重焦点レンズ。
【請求項６】
前記他の物理的パラメータは、前記後面３の球面と円柱からなり、前記実質的に透明な層の屈折率または前記中間媒体１の屈折率である請求項１から５のいずれかに記載の眼科用多重焦点レンズ。
【請求項７】
前記物理的パラメータのばらつきは、近見視力および／または遠方視力のフィールドの幅は、それぞれ前記近見視力の有効フィールドおよび／または前記遠方視力の有効フィールドを変更するために適応され、前記前面２の球面および円柱のばらつきのみによりもたらされる請求項１から６のいずれかに記載の眼科用多重焦点レンズ。
【請求項８】
前記物理的パラメータのばらつきは、前記眼科用多重焦点レンズの横部分に位置する点および／または前記点の位置に達する非点収差の最大値が、非点収差の有効最大値および／または有効位置に対して変更するために適応され、前記前面２の球面および円柱のばらつきのみによりもたらされる請求項１から７のいずれかに記載の眼科用多重焦点レンズ。
【請求項９】
前記物理的パラメータのばらつきは、近見視力（ＶＰ）と遠方視力（ＶＬ）との間の子午線Ｍに沿って屈折力の連続的ばらつきが、前記点の間の屈折力の有効なばらつきに対して変更するために適応され、前記前面２の球面および円柱のばらつきのみによりもたらされる請求項１から８のいずれかに記載の眼科用多重焦点レンズ。
【請求項１０】
前記物理的パラメータのばらつきは、近見視力（ＶＰ）が前記前面２の球面と円柱のばらつきのみによりもたされる前記点の有効位置に対して横方向に移動させるために適応させる請求項１から８のいずれかに記載の眼科用多重焦点レンズ。
【請求項１１】
前面２と、後面３と、中間媒体１と、からなる眼科用多重焦点レンズの製造方法であって、
着用者によって使用される際、屈折力と非点収差のばらつきに関する第１の寄与を得るために、前記前面２の球面と円柱にばらつきがあるレンズ半製品を製造する工程と、
着用者の少なくとも１つの行動特性を測定する工程と、
測定された行動特性にしたがい、屈折力および非点収差のばらつきのカスタマイズを実現する第２の寄与で、レンズ上の異なる点の間の物理的パラメータのばらつきによりもたらされるレンズの屈折力および非点収差のばらつきの第２の寄与のため、前面の球面および円柱と区別したレンズの物理的パラメータを決定する工程と、
この第２の寄与を得るよう物理的パラメータを調整する工程と、を含む眼科用多重焦点レンズの製造方法。
【請求項１２】
前記着用者の行動特性とは、前記着用者が、視野を水平方向に走査する場合、前記着用者の頭の回転に対する眼の動きの水平方向の振幅からなる請求項１１に記載の眼科用多重焦点レンズの製造方法。
【請求項１３】
近見視力点（ＶＰ）と遠方視力点（ＶＬ）との間に存在する屈折力のばらつきに対して、前記第２の寄与は絶対値で前記第１の寄与以下であることによって、前記物理的パラメータがさらに決定される請求項１１または１２に記載の眼科用多重焦点レンズの製造方法。
【請求項１４】
前記近見視力点（ＶＰ）と前記遠方視力点（ＶＬ）との間に存在する屈折力のばらつきに対して、前記第２の寄与は実質的に０であることによって、前記物理的パラメータがさらに決定される請求項１１から１３のいずれかに記載の眼科用多重焦点レンズの製造方法。
【請求項１５】
前記物理的パラメータは、前記後面３の球面と円柱とからなり、前記物理的パラメータの調節は、前記後面の加工により行われる請求項１１から１４のいずれかに記載の眼科用多重焦点レンズの製造方法。
【請求項１６】
前記物理的パラメータは、前記レンズ半製品内に含まれ、照射によって調節できる屈折率を有する材料からなる実質的に透明な層４の屈折率からなり、各種の方法で前記層の異なる部分に選択的に照射することにより調整する請求項１１から１４のいずれかに記載の眼科用多重焦点レンズの製造方法。
【請求項１７】
前記物理的パラメータは、照射によって調節できる屈折率を有する材料からなる前記中間媒体１の屈折率からなり、各種の方法で前記中間媒体の異なる部分に選択的に照射することにより調整する請求項１１から１４のいずれかに記載の眼科用多重焦点レンズの製造方法。
【請求項１８】
前記眼科用多重焦点レンズの異なる点での物理的パラメータの値は、さらに、処方された屈折力と非点収差を得るために決定される請求項１１から１７のいずれかに記載の眼科用多重焦点レンズの製造方法。
【請求項１９】
前記前面２の球面と円柱と異なるもう１つの物理的パラメータは、前記眼科用多重焦点レンズ上の異なる点での屈折力と非点収差とのばらつきによる第２の寄与で製造される物理的パラメータから、処方された屈折力と非点収差を得るために決定される請求項１１から１７のいずれかに記載の眼科用多重焦点レンズの製造方法。
【請求項２０】
前記他の物理的パラメータは、前記後面３の球面と円柱とからなり、前記他の物理的パラメータの調節は前記後面を加工することにより実行される請求項１９に記載の眼科用多重焦点レンズの製造方法。
【請求項２１】
前記他の物理的パラメータは、前記眼科用多重焦点レンズ内に照射によって調節可能な屈折率を持つ材料からなる実質的に透明な層４の屈折率を含み、前記他の物理的パラメータは、各種の方法で前記層の異なる部分に選択的に照射することにより調整する請求項１９に記載の眼科用多重焦点レンズの製造方法。
【請求項２２】
前記他の物理的パラメータは、照射によって調節できる屈折率を有する材料からなる前記中間媒体１の屈折率からなり、各種の方法で前記中間媒体の異なる部分に選択的に照射することにより調整する請求項１９に記載の眼科用多重焦点レンズの製造方法。
【請求項２３】
前記物理的パラメータの調節は、前記第１の寄与によってのみもたらされ、さらに、近見視力のフィールドの幅および／または遠方視力のフィールドの幅の屈折力と非点収差のばらつきへの第２の寄与のため、近見視力の有効フィールドおよび／または遠方視力の有効フィールドそれぞれに対してのために決定される請求項１１から２２のいずれかに記載の眼科用多重焦点レンズの製造方法。
【請求項２４】
前記物理的パラメータの調節は、前記第１の寄与によってのみもたらされ、さらに、前記眼科用多重焦点レンズの横部分に位置する点および／または前記点の位置に達する非点収差の最大値が、非点収差の有効最大値および／または有効位置に対して変更するために決定される請求項１１から２３のいずれかに記載の眼科用多重焦点レンズの製造方法。
【請求項２５】
前記物理的パラメータの調節は、前記第１の寄与のみによってもたされる間、屈折力の有効な進行に関して、さらに、屈折力のばらつきの前記第２の寄与は、遠方視力点（ＶＬ）と近見視力点（ＶＰ）との間の子午線Ｍに沿って屈折力の進行を変更するために決定される請求項１１から２４のいずれかに記載の眼科用多重焦点レンズの製造方法。
【請求項２６】
前記物理的パラメータ調節は、さらに、前記第１の寄与のみによってもたされる有効な位置に関して、屈折力と非点収差のばらつきに関する前記第２の寄与は、前記眼科用多重焦点レンズの近見視力点（ＶＰ）に移動させるために決定される請求項１１から２５のいずれかに記載の眼科用多重焦点レンズの製造方法。
【発明の詳細な説明】
【技術分野】
【０００１】
本発明は、眼科用多重焦点レンズおよびその製造方法に関する。
【背景技術】
【０００２】
通常、眼科用レンズは、レンズの着用者用に設定された処方によって決定される視力矯正を有する。このような処方は、着用者の遠方視力を矯正するよう調整された屈折力の値および非点収差の値を特に示すものである。これらの値は、通常はレンズ前面と概ね球面または球面円環状の後面を組み合わせることにより得ることができる。多重焦点（プログレッシブ）レンズについては、レンズの２面のうち少なくとも一方が、屈折力および非点収差のばらつきにより、レンズを通した異なる視線の方向間で球面かつ円柱のばらつきを有する。レンズの屈折力および非点収差のばらつきの種類は、設計（ｄｅｓｉｇｎ）と呼ばれる。とりわけ、遠方視力専用点と近見視力専用点との間の屈折力の差は付加（ａｄｄｉｔｉｏｎ）と呼ばれ、またその値は遠視の着用者用に処方される値に対応することになる。
【０００３】
現在、多重焦点レンズは２つの連続する工程により製造される。第１工程は、前面が所望の設計に対応するよう最初に定められた球面および円柱ばらつきを有するほぼ完成したレンズ（以下、「レンズ半製品」ともいう。）の製造である。これは、例えば成型や射出により、工場内で行われる。ほぼ完成したレンズは、基礎、前面の球面および円柱の分布、または付加により、いくつかの異なるモデルに分かれている。基礎とは、レンズ上の遠方視力に対応する点の球面である。近見視力点と遠方視力点の間の距離、レンズ上の近見視力および遠方視力に対応するゾーンの幅、レンズ半製品を構成する透明な材料の屈折率等も、モデルによって異なることがある。これらの特徴の組み合わせは、それぞれ、異なるレンズ半製品モデルに対応する。
【０００４】
第２工程は、眼科用レンズの流通網中の工場と小売販売所との間の研究室で行われる。この工程は、レンズが着用者の処方に対応するように別工程でレンズ後面の球面または球面円環面を加工するものである。
【０００５】
現在、多重焦点レンズの設計を、通常の処方特性以外に着用者の補助特性に応じてカスタマイズする傾向が現れてきている。このような補助特性は、とりわけ、遠方視力状況および近見視力状況での着用者の頭の位置および目の位置に関連してもよい。その後、多重焦点レンズが、例えば、遠方視力点および近見視力点が、レンズ上の着用者の頭の位置および目の位置に関連して合わせられた場所に位置するように選択される。
【０００６】
上記のような多重焦点レンズを製造する構成においては、レンズ設計における着用者個々の特性を考慮すると、レンズ半製品モデルの増加が要求される。そうなると、工場で製造される各レンズ半製品のシリーズが不足するようになる。結果として、レンズのコスト価格が高くなる。さらに、これによって、大量のレンズ半製品モデルの備蓄を利用可能としなければならないため、研究室における在庫管理が複雑となる。
【０００７】
このようなレンズ半製品モデルの増加を回避するために、眼科用多重焦点レンズの製造ラインの新規な構成が提案されている。この新規な構成によれば、多重焦点レンズの設計は、レンズ後面により得られる。そして、レンズ半製品は、前面が球状面と、処方と着用者ごとに定められた個別特性に合わせた設計にしたがって加工された後面を有する。このような構成は、レンズ半製品モデルの選択に着用者の個別特性はもはや関与しないとするならば、特に柔軟性がある。とりわけ、少数のレンズ半製品には、レンズ完成品の形状の全てを得るために有効である。
【０００８】
しかしながら、この場合、レンズ後面が複雑な形状を有することになる。実際、設計および矯正はいずれもこの形状によりもたらされる。そして、続いて行われるレンズ半製品の後面の加工では、研究室にてそのような形状を作り出すことのできる装置を備えていることが必要となる。このような装置は、「自由造形（ｆｒｅｅ−ｆｏｒｍ）」法と呼ばれるものに対応するものであり、それ自体が複雑であり、高価である。こうした理由から、続いて行われるレンズ後面の加工は限られた数の専門の研究室にグループ分けされることになる。これは、レンズのカスタマイズの製造および流通網の下流への移動とは反対である。
【０００９】
特許文献１には、多重焦点面であってもよい前面と着用者用に処方された矯正を得るだけでなく個別のレンズ使用条件を勘案するために形成された後面とを有する眼科用多重焦点レンズが記載されている。こうした個別の使用条件には、眼の深さ、視程、レンズがはめ込まれているフレームによる眼前のレンズの傾き、およびフレームの形状等がある。また、レンズ後面は非球面またはアトリック（ａｔｏｒｉｃ）であってもよい。このようにして、レンズ半製品モデルの数を増やすことなく、屈折異常の矯正に加えてレンズのカスタマイズが実現される。しかしながら、このようなカスタマイズは眼および／またはフレームの物理特性を考慮するのみである。ところが、このような特性は、さまざまなレンズ使用条件の下での着用者の快適性を向上させるには不十分なものである。
【特許文献１】米国特許第５４４４５０３号
【発明の開示】
【００１０】
したがって、本発明の目的は、多くの使用条件下における着用者の快適性を向上させつつ、多重焦点レンズの経済的な製造と各レンズの設計を着用者の処方以外の少なくとも１つの個別特性に応じたカスタマイズとを組み合わせることである。
【００１１】
このため、本発明は、着用者がレンズを使用し、屈折力のばらつきおよび非点収差を生じる前面、後面、中間媒体を備える眼科用多重焦点レンズであって、このばらつきが、
レンズ前面の球面および円柱のばらつきによる第１の寄与と、
前記前面の球面および円柱とは異なるレンズの物理的パラメータの少なくとも１つのばらつきによる第２の寄与とを含む、眼科用多重焦点レンズを提供する。
【００１２】
さらに、レンズ上の異なる点における物理的パラメータの値は、第２の寄与により、レンズの着用者の行動特性の少なくとも１つに応じてレンズの屈折力のばらつきおよび非点収差がカスタマイズされるよう調整される。
【００１３】
物理的パラメータの値が適応される前記行動特性は、１つ以上の着用者の習慣的態度および／または動作に関してもよい。これは、とりわけ、着用者が視野を水平方向に走査（スキャン）する場合の着用者の頭の回転に対する水平方向の眼の動きの振幅であってもよい。この特性は、好ましくは、適切な器具を用いて着用者について測定される。このような行動特性は、その性質上、着用者の眼の光学的または物理的な特性でもなければ、レンズをはめることになっているフレームに関連する特性でもない。
【００１４】
加えて、周知の方法で、レンズを通してさまざまな方向を観察するために着用者はレンズを使用する。それぞれの視線方向は、水平面に対する角度と垂直面に対する角度の２つの角度によって参照される。任意の視線方向から入射する光線は、２つの交差点それぞれにおけるレンズの面と交差し、固定されると想定される眼の回転の中心を通過する。光線とレンズの各面との交差点は、光屈折の原則にしたがって決定される。任意の方向についての多重焦点レンズの屈折力および非点収差値は、傾きの可能性に加えて、レンズの各面の光線の交差点における球面値および円柱値、および中間媒の体屈折率の値によりもたらされる。
【００１５】
したがって、本発明によれば、多重焦点レンズの屈折力のばらつきおよび非点収差は、部分的には前面によって、また、部分的に着用者に応じてレンズをカスタマイズするために調整されるレンズの物理的パラメータによって得ることができる。したがって、レンズ前面の形状は、物理的パラメータにより実現されるカスタマイズとは独立している。したがって、設計によって別々にカスタマイズされる多重焦点レンズを同一のレンズ半製品から得ることができる。このように、少ない数のレンズ半製品モデルで十分に人々の多重焦点レンズの全需要を満たすことができる。そのため、レンズ半製品を大規模な生産工程で経済的に製造することができる。
【００１６】
本発明の好適な実施形態によれば、レンズの遠方視力点と近見視力点との間に存在する屈折力のばらつきについて、第２の寄与は第１の寄与よりも絶対値で少ない。言い換えると、物理的パラメータにより実現されるレンズのカスタマイズは、多重焦点レンズの付加をわずかしか変更しない。このカスタマイズに対応する設計の調整は、きわめて特殊な器具を必要とすることなく、その後簡単に行うことができるように限定されている。可能性としては、遠方視力点と近見視力点との屈折力のばらつきについて、第２の寄与は実質的にゼロである。その場合、多重焦点レンズの付加は屈折力のばらつきに対する第１の寄与によってのみもたらされ、レンズ前面だけによって決定される。
【００１７】
これを介してレンズの屈折力のばらつきおよび非点収差をカスタマイズするレンズの物理的パラメータは、さまざまな種類であってよい。とりわけ、以下のようなものを含む。
レンズ後面が球面および円柱であって、この場合、物理的パラメータはその後のレンズ後面の加工の間に調整される。
レンズに含まれるほとんど透明な層の屈折率。この層は、照射により調整可能な屈折率を有する材料からなる。この場合、各種の方法で層の異なる部分に選択的に照射されることにより物理的パラメータが調整される。
レンズの前面と後面との間の中間媒体の屈折率。この中間媒体は、照射により調整可能な屈折率を有する材料からなってもよい。この場合、各種の方法で中間媒体の異なる部分に選択的に照射されることにより物理的パラメータが調整される。
【００１８】
場合によっては、処方（規定）の屈折力と規定の非点収差はレンズ上の異なる点における物理的パラメータの値によってもよい。そうすると、物理的パラメータの調整が可能となり、規定に対応する屈折異常の矯正と着用者の行動にあわせた設計を単一の製造工程で同時に得ることを可能とする。
【００１９】
また、屈折異常の矯正に対応する所定の屈折力および所定の非点収差は、レンズの異なる点における別の物理的パラメータの値によりもたらされてもよい。この別の物理的パラメータは、前面の球面および円柱から区別することができ、レンズの屈折力および非点収差のばらつきに対する第２の寄与の原点である物理的パラメータとも別のものである。同様に、後者については、このレンズの別の物理的パラメータは、レンズ後面の球面および円柱、レンズ内に含まれるほぼ透明な層の屈折率、または中間媒体の屈折率を含んでもよい。この別のパラメータの性質によって、レンズの異なる点における値を、その後のレンズ後面の加工において、または層または中間媒体の一方が照射により調整可能な屈折率の材料からなる場合には、その異なる部分に対する選択的な照射において固定することができる。
【００２０】
着用者の行動特性に応じた多重焦点レンズの設計の各種のカスタマイズはこのようにして実現することができる。これらの調整のなかでも、とりわけ以下の点を述べる。
近見視力の有効フィールドおよび／または遠方視力の有効フィールドに対する近見視力フィールド（ｆｉｅｌｄ）および／または遠方視力フィールドの幅の変更。これはレンズ前面の球面および円柱のばらつきのみによりもたらされるものである。
レンズの横方向における非点収差の有効最大値についてレンズの横方向で到達する非点収差の最大値の変更。これはレンズ前面の球面と円柱のばらつきによってのみもたらされるものである。
非点収差の最大値に到達するレンズ上の横方向の点の有効位置に対する位置ずれ。これはレンズ前面の球面と円柱のばらつきによってのみもたらされるものである。
レンズの遠方視力点と近見視力点との間の経度線に沿ったレンズの屈折力の連続するばらつきの変更。これはレンズ前面の球面と円柱のばらつきによってのみもたらされるものである。
レンズの近見視力点の縦方向の点の有効位置に対するずれ。これはレンズ前面の球面と円柱のばらつきによってのみもたらされるものである。
【００２１】
本発明は、また、前面、後面、中間媒体を備える眼科用多重焦点レンズの製造方法を提供する。この方法は、
着用者によってレンズが使用される際、レンズの屈折力および非点収差のばらつきに対する第１の寄与を得るために、前面が球面および円柱にばらつきを有するレンズ半製品を製造する工程と、
レンズの着用者の行動特性の少なくとも１つを測定する工程と、
測定された行動特性にしたがい、レンズの屈折力および非点収差のばらつきのカスタマイズを実現する第２の寄与で、レンズ上の異なる点の間の物理的パラメータのばらつきによりもたらされるレンズの屈折力および非点収差のばらつきの第２の寄与のため、前面の球面および円柱と区別したレンズの物理的パラメータを決定する工程と、
この第２の寄与を得るよう物理的パラメータを調整する工程と、を含む。
【００２２】
レンズ半製品は工場で製造することができ、着用者の行動特性は眼鏡技師の下で測定することができ、各レンズの物理的パラメータは工場とレンズの小売販売所との間にある研究室で調整することができる。このような多重焦点レンズの製造の構成において、着用者に対して眼鏡技師の下で行われた行動測定の結果は、レンズの各点において生じさせるべき物理的パラメータの値を判定することができるように研究室に連絡される。また、物理的パラメータの変更は、小売販売所にこのような変更を行うことのできる装置が設置されているならば、小売販売所で直接行われてもよい。
【発明を実施するための最良の形態】
【００２３】
本発明のその他の特徴および効果は、以下の実施形態の非限定的な例の説明と、添付の図面を参照することにより、明らかとなろう。
【００２４】
図１ａによれば、眼科用レンズ１０は、前面２および後面３により限定される中間媒体１からなる。中間媒体１は透明であり、屈折率値によって特徴付けられる無機または有機材料からなってよい。レンズ１０の光学特性は、この屈折率値と前面２および後面３の形状との組み合わせによるものである。周知の方法で、メガネのフレームにはめ込む準備のできたレンズは、フレームの形状に対応する輪郭Ｃでレンズ１０を切り取ることにより得ることができる（図１ｂ）。
【００２５】
レンズの前面２および後面３は、それぞれの面上の点における平均球面値および平均円柱値により幾何学的に確定されてもよい。これらの平均球面値および平均円柱値は当業者には周知であり、その数式を得るために公開された文献を参照することができる。簡単に言うと、図５ａ、図５ｂにおいてＳで示される平均球面はジオプターで現され、面上の１点におけるその面の平均湾曲に対応する。円柱は、それぞれＣ１およびＣ２で示され、レンズ面上の任意の点においてこの面に対して環状接線をなす２つの湾曲間の差に対応する。なお、明瞭にするために、本明細書において球面とは球面のみを表す。
【００２６】
以下、半製品と呼ぶレンズ１０はレンズ半製品より得られ、その前面の形状は限定されている。言い換えると、前面２の球面および円柱の値は、その後レンズ１０が半製品より作られるときに修正されない。以下で詳細に説明する例において、レンズ１０は、特定の光学機能が得られるように調整された球面および円柱の後の値が与えられるように、半製品の後面３を加工することにより得られる。
【００２７】
図２ａおよび図２ｂは、半製品の前面２の球面および円柱の値をそれぞれマップしたものである。この面は半製品の円形の縁により限定されており、その面上の各点はＸとＹで示される２つの直交座標により参照され、ミリメートル（ｍｍ）で示される。図２ａ上に示される線は等球面線であり、前面２上の同一の球面の値に対応する点を結んでいる。これらのラインのいくつかについては、この値はジオプターで示される。同様に、図２ｂ上に示される線は、前面２上の同一の円柱の値に対応する点を結ぶ等円柱線である。
【００２８】
それぞれＣＭ、ＶＬ、ＶＰで示される３つの特定の点は、これらのマップ上の基準点である。点ＣＭはフィッティングクロス（ｆｉｔｔｉｎｇ  ｃｒｏｓｓ）と呼ばれ、着用者の目の中心に面して位置するべきレンズ１０の点である。点ＶＬは、レンズの遠方視力に用いられるゾーンの中心である。同様に、点ＶＰは、レンズの近見視力に用いられるゾーンの中心である。ＶＬは、ＣＭ（Ｘ＝０に対応）を通過する前面２の中央垂線上に位置し、ＶＰは、ＣＭおよびＶＬに対して横方向（Ｘ軸に平行）にオフセットする。ＶＰの横方向オフセットは、右レンズと左レンズとで逆転する。図に対応するレンズ１０は、右眼用のレンズである。線Ｍは、子午線と呼ばれ、点ＣＭ、ＶＬ、ＶＰを結ぶ。これは、着用者が目の前に位置する高さと距離の異なる複数の対象を連続的に視線したときの着用者の眼のスキャンに対応する。
【００２９】
通常、また比較参照により想起されるように、半製品の後面３は、レンズ１０を得るために着用者の処方にしたがって加工される。この処方は、屈折力値、付加値、および非点収差値を示す。後者は、周知の方法で、非点収差の振幅の基準および角度基準よりなり、角度基準はレンズに平行な矯正トロイドの方向を特定する。従来の加工では、後面３には均一な球面および円柱値が与えられる。言い換えると、後面３は多重焦点ではない。付加を含むレンズ１０の屈折力におけるばらつきおよび非点収差におけるばらつきは、レンズの前面２の幾何学的特性によりもたらされる。
【００３０】
図３ａおよび図３ｂは、後面３が均一な球面および円柱値を有するレンズ１０の光学特性を示すものである。ここで検討する例について、レンズ１０の中間媒体１の屈折率は、１．６６５である。図３ａおよび図３ｂは、それぞれレンズ１０の屈折力および非点収差値のマップである。レンズ１０を通しての視線方向は、それぞれ、度で表される２つの角度座標により特定される。アルファは水平面に対する視線高を測定し、ベータはこの水平面での眼の回転を測定する。角度座標系の原点（アルファ＝０、ベータ＝０）は、レンズ１０の点ＣＭに対応する。点ＶＬおよびＶＰに対応する方向も、これらのマップに示されている。図３ａに示す線は、同一の屈折力値に対応するレンズ１０を通す視線方向を結ぶ等力線である。この値は、これらの線のためにジオプターで示される。ここで検討する例では、近見視力（点ＶＰ）において、視力矯正は３．２０ジオプターであり、点ＶＰおよびＶＬに対応するレンズ１０の視線の方向間の屈折力の差は２．２１ジオプターである（付加値）。同様に、図３ｂに示す線は、同一の非点収差値に対応するレンズ１０を通す視線方向を結ぶ等非点収差線である。図３ｂに示す非点収差値は、所定の非点収差値が差し引かれた実際の値に対応する。このため、示される値は合成非点収差値（ｒｅｓｕｌｔａｎｔ  ａｓｔｉｇｍａｔｉｓｍ  ｖａｌｕｅ）と呼ばれ、点ＶＬおよびＶＰに対応する視線の方向についてはほぼゼロである。これら２つの視線の方向に存在しうる残余合成非点収差値は、その性質上球面状である。
【００３１】
本明細書に記載の本発明の特定の実施形態によれば、半製品の後面３は、面上の点によって異なる球面および円柱を有するように加工される。このため、リコールされた通常の多重焦点レンズの製造方法とは反対に、レンズの後面３は、半製品から得られたレンズ１０の光学的性質のばらつきに対応する。レンズ１０の後面３について、図４ａおよび図４ｂは、それぞれ図２ａおよび図２ｂに対応する。したがって、図４ａは、後面３上の各点における球面の値を示す。同様に、図４ｂは、後面３上の各点における円柱の値を示す。図２ａに見られる距離（それぞれ２ｂ）よりも大きい図４ａの球面線の距離（それぞれ図４ｂの等円柱）は、レンズ１０の後面３が球面に（それぞれ円柱に）前面２よりも小さいばらつきがあることを示している。このため、後面３は、比較的簡単な特に道具の移動軸の数が少ない装置で加工することができる。このような装置は、コストが少なく、使用が容易である。そのため、レンズの小売販売所に近い多くの場所に設置することができ、また小売販売所に設置することもできる。
【００３２】
図５ｂは、後面３の球面Ｓおよび子午線Ｍに沿った湾曲Ｃ１、Ｃ２におけるばらつきを示す。縦軸にこの線に沿ったミリメートルで測定されるずれを示し、横軸にジオプターで表すＳ、Ｃ１、Ｃ２の値を示す。この図に示す球面値は、後面３の屈折力の処方に対応する球面値（この例では１．０５ジオプター）が差し引かれた実際の球面値に対応する。この図によれば、後面３は点ＶＰおよびＶＬと実質的に同一である球面値Ｓを有する。
【００３３】
図５ｂと比較して、図５ａは、図２ａおよび図２ｂに対応するレンズの子午線Ｍに沿った前面２の球面Ｓと湾曲Ｃ１、Ｃ２のばらつきを示す。したがって、後面３の球面Ｓと湾曲Ｃ１、Ｃ２のばらつきは、前面２の対応するばらつきに比べるとはるかに小さい。
【００３４】
すでに述べたように、レンズ１０の屈折力および非点収差は、それぞれ、前面２および後面３の２面の形状と中間媒体１の屈折率によりもたらされる。しかしながら、後面３が球面および円柱にもばらつきがあることを考えると、レンズ１０の屈折力および非点収差のばらつきは、前面２および後面３の球面および円柱のばらつきとの組み合わせによりもたらされるものである。言い換えると、図２ａおよび図２ｂにより特徴づけられる前面２の球面および円柱のばらつきは、このレンズを通すさまざまな視線方向の間に存在するレンズ１０の屈折力のばらつきに第１の寄与を作り出す。また、こうした視線の方向間に同時に存在するレンズ１０の非点収差のばらつきに第１の寄与を作り出す。同様に、図４ａおよび図４ｂにより特徴づけられるレンズ１０の後面３の球面および円柱のばらつきは、同じさまざまな視線の方向の間に存在するレンズ１０の屈折力のばらつきに第２の寄与をし、これらの方向間に存在するレンズ１０の非点収差のばらつきに第２の寄与をする。レンズ１０の屈折力のばらつきは、これに対する第１および第２の寄与の組み合わせによりもたらされる。同様に、レンズ１０の非点収差のばらつきは、対応する第１および第２の寄与の組み合わせによりもたらされる。第１の近似値において、レンズ１０の屈折力および非点収差のばらつきは、それぞれ、レンズの前面２および後面３の２面のそれぞれの寄与の配向合計（すなわち、各寄与について円柱の局所的な配向を考慮にいれる）に等しい。各寄与は、光線が交差する点で前面２および後面３の２面の球面および円柱値を考慮することによって評価され、光線は、観測方向から来て、眼の回転の中心を通るものである。
【００３５】
後面３の球面および円柱のばらつきが、一般的には前面２に対する球面および円柱のばらつきよりも小さいと考えると、観察方向の大部分の対について、レンズ１０の屈折力のばらつきに対する第２の寄与（後面３による）は、この屈折力のばらつきに対する第１の寄与（前面２による）よりも少ない。同様に、レンズ１０の非点収差のばらつきに対する第２の寄与（後面３による）は、一般に、この非点収差のばらつきに対する第１の寄与（前面２による）よりも小さい。
【００３６】
図６ａおよび図６ｂは、それぞれ、レンズ１０の後面３が図４ａおよび図４ｂに対応する形状となるように加工される場合の図３ａおよび図３ｂに対応する。図３ａと図６ａとを比較すると、点ＶＰに対応する視線方向（観察方向）の屈折力値がほぼ同一であることがわかる（図３ａおよび図６ａでは、それぞれ３．２０および３．０９ジオプター）。これは、点ＶＬに対応する視線方向でも同様である（図３ａおよび図６ａでは、それぞれ０．９９および１．００ジオプター）。言い換えると、レンズ１０の後面３はレンズの付加にほとんど寄与しないということである。したがって、この付加（約２．１ジオプター）は、後面３の点ＶＰおよびＶＬにおける球面値が実質的に等しいとするならば、ほとんど前面２のみによって固定される。
【００３７】
図３ｂと図６ｂとを重ね合わせると、それぞれの図における０．５０〜１．２５ジオプターの値に対応する非点収差線が、点ＶＬの高さでの子午線Ｍに対応するトレースの両側でおおむね図６ｂではより狭いＶ字型をしていることがわかる。このことは、図６ａおよび図６ｂに対応するレンズ１０は、図３ａおよび図３ｂに対応するレンズ１０よりも遠方視力のフィールドが狭いことを意味している。一方、レンズ１０の右手側と左手側の存在は、図６ａおよび６ｂに対応するレンズ１０のために減少し、合成非点収差（ｒｅｓｕｌｔａｎｔ  ａｓｔｉｇｍａｔｉｓｍ  ａｂｅｒｒａｔｉｏｎｓ）は、図３ａおよび図３ｂに対応するレンズ１０の側面部に現れる合成非点収差と比較する。実際、図６ｂに見られる最大合成非点収差値は約１．７５ジオプターであり、図３ｂに見られる最大合成非点収差値は２．００ジオプターよりも大きい。さらに、最大非点収差値が達する視線方向の位置は修正されている。
【００３８】
したがって、本発明によるレンズの後面３の加工、すなわちこの面の球面および円柱のばらつきを導入することにより、レンズの側面部に現れる残余非点収差（ｒｅｓｉｄｕａｌ  ａｓｔｉｇｍａｔｉｓｍ  ａｂｅｒｒａｔｉｏｎｓ）を減少させることを可能とした。同時に、遠方視野の幅も減少した。したがって、このようなレンズは、主としてレンズの垂直中央帯（ｖｅｒｔｉｃａｌ  ｃｅｎｔｒａｌ  ｂａｎｄ）を通して見る着用者に合わせられる。このような視覚行動は、主として、側面に位置する対象を見るために眼ではなく頭を回すことからなる。
【００３９】
したがって、本発明は、視野内の横方向を見るために頭よりも眼を回す着用者に合わせた広い遠方視野に対応する半製品から、眼よりも頭を回す着用者に合わせた合成非点収差が少ない多重焦点レンズを得ることを可能とする。本発明は、逆に、合成非点収差の程度が低く眼をそれほど回さない着用者に合わせられた半製品から、頭をほとんど回さない着用者に合わせられた遠方視野が広い多重焦点レンズを得ることも可能であることは言うまでもない。この２タイプの着用者、すなわち好んで頭を回す着用者と好んで眼を回す着用者それぞれに対応するレンズを同じ半製品モデルから得ることができる。言い換えると、本発明は、設計が異なる半製品から任意の設計のレンズを得ることを可能とするものである。この設計の変更を実施することにより、結果として、別の半製品モデルを必要とすることなく、着用者の行動に応じた多重焦点レンズを調整することが可能となる。
【００４０】
一般に、着用者の行動を特徴づけることのできるさまざまな測定を行うことができる。とりわけ、任意の着用者によるレンズの中間視力ゾーンの使用を特徴付けることができる。このゾーンは遠方視力ゾーンと近見視力ゾーンとの間に位置し、子午線上に中心をおいている。中間視力ゾーンにおける眼による縦走査には着用者が適応する時間が必要なことがあることが知られている。本発明による後面３の加工は、中間視力ゾーンにおけるレンズの屈折力のばらつきを着用者の行動に応じて調整することも可能とする。図に示すように、図７ａは、図３ａおよび図３ｂのレンズの子午線に沿った視線方向が変化する場合の屈折力のばらつき（図ではＰで示す）を表す。同様に、図７ｂは、図６ａおよび図６ｂに対応するレンズの屈折力のばらつきを示す。レンズの点ＶＬおよびＶＰを通過する視線の方向の間で、とりわけ点ＶＰを通過する方向の周囲において、屈折力のばらつき曲線の形状が図７ａと図７ｂとで異なっている。図７ｂのレンズは、図７ａのレンズよりも、読むときに頭ではなく眼を縦に動かす着用者に適している。
【００４１】
図７ａおよび図７ｂは、さらに、レンズ１０の接線カーブ（Ｔａｎｇ．と示す）におけるばらつきと矢状カーブ（Ｓａｇｉｔ．と示す）を示す。これらは、着用者に合わせることができる。
【００４２】
多重焦点レンズのその他の特徴は、その後、レンズの後面を加工することにより調整することができる。特に、点ＶＬに対する点ＶＰの横方向オフセット、および２つのマッチしたレンズ間のバランスは、このようにして変更される。
【００４３】
以上、レンズ後面の加工によりカスタマイズされる多重焦点レンズの設計との関連で本発明を詳細に説明したが、同様のレンズのカスタマイズを行うためにその他の方法を用いることもできることは言うまでもない。このようなその他の方法として、レンズ１０に組み込まれた活物質の層の屈折率の適用について述べておく。図８ａ〜図８ｃは、それぞれ、レンズ１０の前面２側に活物質の層４があるレンズ構造、後面３側に活物質４の層があるレンズ構造、および中間媒体１の厚み内に収められているレンズ構造を図示している。層４は、レンズ１０の前面２および後面３に実質的に平行である。このような層は、そのポイントごとに屈折率を別工程で変更することのできる透明な活物質からなる。既知の活物質には、このような屈折率の変更をレーザビームまたはＵＶランプを用いた照射により行うことができるものがある。この場合、レンズ１０の前面は、ここでも半製品の製造中に最終的に形成され、後面は均一な円柱値および球面値に応じて加工される。層４の屈折率の変更が、その後具体的な工程において、層４内の２つの異なる点で受ける照射の強度および／または継続時間を変更することにより行われる。これらの変さらにより、測定された着用者の行動特性に応じた多重焦点レンズの設計のカスタマイズが可能となる。
【００４４】
さらに別の方法は、活物質が体が活物質からなる中間媒体１の製造に存在する。
【００４５】
最後に、各種の多重焦点レンズのカスタマイズ方法は、ともに組み合わせることができる。同様に、これらの方法が基づくレンズの物理的パラメータを用いて処方に対応する矯正力をレンズに与えるために用いることができ、またこれらのうちの別の方法の物理的パラメータは着用者の行動特性に応じた多重焦点レンズの設計のカスタマイズに用いることができる。
【図面の簡単な説明】
【００４６】
【図１】図１ａおよび図１ｂは、それぞれ、眼科用多重焦点レンズを示す断面図および平面図である。
【図２】図２ａおよび図２ｂは、図１ａおよび図１ｂのレンズ前面の球面および円柱のばらつきのマップを示す図である。
【図３】図３ａおよび図３ｂは、図２ａおよび図２ｂの前面および球状後面を有するレンズの屈折力および非点収差のマップを示す図である。
【図４】図４ａおよび図４ｂは、本発明の第１の実施形態より加工されたレンズの後面の球面および円柱のマップを示す図である。
【図５】図５ａおよび図５ｂは、図２ａおよび図２ｂに対応するレンズ前面ならびに図４ａおよび図４ｂに対応するレンズ後面について、レンズの経線に沿った球面のばらつきと湾曲のばらつきとを示す図である。
【図６】図６ａおよび図６ｂは、図２ａおよび図２ｂの前面ならびに図４ａおよび図４ｂの後面を有するレンズの屈折力および非点収差のマップを示す図である。
【図７】図７ａは、図３ａおよび図３ｂに対応するレンズの屈折力および非点収差における子午線に沿ったばらつきを示す図である。
【図７】図７ｂは、図６ａおよび図６ｂに対応するレンズの屈折力および非点収差における子午線に沿ったばらつきを示す図である。
【図８】図８ａ〜図８ｃは本発明の別の実施形態にかかる眼科用多重焦点レンズの断面図を示す図である。
【図１ａ】
2008527404.tif 000003
【図１ｂ】
2008527404.tif 000004
【図２ａ】
2008527404.tif 000005
【図２ｂ】
2008527404.tif 000006
【図３】
2008527404.tif 000007
【図４ａ】
2008527404.tif 000008
【図４ｂ】
2008527404.tif 000009
【図５】
2008527404.tif 000010
【図６】
2008527404.tif 000011
【図７】
2008527404.tif 000012
【図８ａ】
2008527404.tif 000013
【図８ｂ】
2008527404.tif 000014
【図８ｃ】
2008527404.tif 000015
【国際調査報告】
2008527404.tif 000016
2008527404.tif 000017
2008527404.tif 000018
2008527404.tif 000019
2008527404.tif 000020
2008527404.tif 000021